(57)【要約】【課題】電圧補償と負荷平準化を行う無停電電源装置において、電圧補償を予め設定された電圧補償時間確実に行えるようにする。【解決手段】外部電源に瞬低又は停電が発生した場合、放電制御部は、二次電池の放電を開始させることで電圧補償を開始する。二次電池の放電中、電圧計は逐次二次電池の電池電圧を測定する。制御部は測定結果を取り込んで二次電池の現在の電圧特性とする。外部電源からの給電が正常に復帰すると、放電制御部は二次電池の放電を終了させ、電圧補償を終了する。そして、電圧低下幅算出部は、基準電圧特性に対する現在の電圧特性の電圧低下幅ΔＶを算出する。電圧低下幅ΔＶが予め定められた閾値以上である場合、限界電圧設定部は電圧低下幅ΔＶに応じた所定の値だけ限界電圧ＶＬを上げる調整を行う。【選択図】図３
2013179813.tif 000002
【特許請求の範囲】
【請求項１】
外部電源から供給される電力を蓄える二次電池を備え、当該二次電池に蓄えられた電力を用いて電圧補償と負荷平準化とを行う無停電電源装置であって、
前記二次電池の電池電圧を測定する電圧測定手段と、
前記二次電池の放電を制御する制御手段と、
前記無停電電源装置の設置時において、前記二次電池が完全放電するまでの当該二次電池の電池電圧の時間変化を基準電圧特性として記憶する記憶手段と、
前記外部電源に瞬時電圧低下又は停電が発生した際に、前記電圧補償として前記制御手段が前記二次電池を放電させている間の当該二次電池の電池電圧の時間変化をその時点での電圧特性とし、当該電圧特性の前記基準電圧特性に対する電圧低下幅を算出する算出手段と、
前記無停電電源装置が予め定められた電圧補償時間の電圧補償を行う場合に最低限必要な前記二次電池の容量を限界容量とし、前記二次電池の残容量が前記限界容量であるときの当該二次電池の電池電圧を限界電圧とし、前記無停電電源装置設置時の前記限界電圧を基準限界電圧とした場合、前記電圧低下幅が予め定められた値以上である場合に当該電圧低下幅に応じた所定の電圧値を前記基準限界電圧に加算した値を前記限界電圧とする調整手段と、
を更に備え、前記制御手段は、前記負荷平準化中の前記二次電池の電池電圧が前記限界電圧となった時点で当該二次電池の放電を停止させる無停電電源装置。
【請求項２】
前記制御手段は、予め定められたスケジュールで行われる定期点検時に前記二次電池を完全放電させ、当該定期点検時に前記二次電池を完全放電させている間の当該二次電池の電池電圧の時間変化を前記基準電圧特性として前記記憶手段に更新して記憶させ、
前記定期点検時の前記二次電池の完全放電の際に、当該二次電池の電池電圧が前記限界電圧に達してから電池電圧ゼロになるまでの時間を計測する計測手段を更に備え、
前記調整手段は、前記計測手段が計測した時間と前記電圧補償時間との時間差を求め、前記計測手段が計測した時間が前記電圧補償時間より短い場合、前記時間差に応じた所定の電圧値だけ前記限界電圧に加算し、前記計測手段が計測した時間が前記電圧補償時間より長い場合、前記時間差に応じた所定の電圧値だけ前記限界電圧から減算する請求項１に記載の無停電電源装置。
【請求項３】
前記調整手段が予め定められた期間以上前記限界電圧の調整を行っていない場合、前記制御手段は日中の予め定められた時間帯に前記二次電池の電池電圧が前記限界電圧より低い予め定められた電圧値になるまで強制的に放電させ、
前記算出手段は、前記制御手段が前記二次電池を強制的に放電させている間の当該二次電池の電池電圧の時間変化をその時点での電圧特性とし、当該電圧特性の前記基準電圧特性に対する電圧低下幅を算出し、
前記調整手段は、前記電圧低下幅が前記予め定められた値以上である場合に前記電圧低下幅に応じた所定の電圧値を前記基準限界電圧に加算した値を前記限界電圧とする請求項１又は２に記載の無停電電源装置。
【請求項４】
外部電源から供給される電力を蓄える二次電池を備え、当該二次電池に蓄えられた電力を用いて電圧補償と負荷平準化とを行う無停電電源装置であって、
前記二次電池の電池電圧を測定する電圧測定手段と、
前記二次電池の放電を制御する制御手段と、
前記無停電電源装置の設置時において、前記二次電池が完全放電するまでの当該二次電池の電池電圧の時間変化を基準電圧特性として記憶する記憶手段と、
前記外部電源に瞬時電圧低下又は停電が発生した際に、前記電圧補償として前記制御手段が前記二次電池を放電させている間の当該二次電池の電池電圧の時間変化をその時点での電圧特性とし、当該電圧特性の前記基準電圧特性に対する電圧低下幅を算出する算出手段と、
前記無停電電源装置が予め定められた電圧補償時間の電圧補償を行う場合に最低限必要な前記二次電池の容量を限界容量とし、前記無停電電源装置設置時の前記限界容量を基準限界容量とした場合、前記電圧低下幅が予め定められた値以上である場合に当該電圧低下幅に応じた所定の容量を前記基準限界容量に加算した値を前記限界容量とする調整手段と、
を更に備え、前記制御手段は、前記負荷平準化中の前記二次電池の電池容量が前記限界容量となった時点で当該二次電池の放電を停止させる無停電電源装置。
【請求項５】
前記制御手段は、予め定められたスケジュールで行われる定期点検時に前記二次電池を完全放電させ、当該定期点検時に前記二次電池を完全放電させている間の当該二次電池の電池電圧の時間変化を前記基準電圧特性として前記記憶手段に更新して記憶させ、
前記定期点検時の前記二次電池の完全放電の際に、当該二次電池の電池電圧が前記限界電圧に達してから電池電圧ゼロになるまでの時間を計測する計測手段を更に備え、
前記調整手段は、前記計測手段が計測した時間と前記電圧補償時間との時間差を求め、前記計測手段が計測した時間が前記電圧補償時間より短い場合、前記時間差に応じた所定の容量だけ前記限界容量に加算し、前記計測手段が計測した時間が前記電圧補償時間より長い場合、前記時間差に応じた所定の容量だけ前記限界容量から減算する請求項４に記載の無停電電源装置。
【請求項６】
前記調整手段が予め定められた期間以上前記限界容量の調整を行っていない場合、前記制御手段は日中の予め定められた時間帯に前記二次電池の電池電圧が前記限界電圧より低い予め定められた電圧値になるまで強制的に放電させ、
前記算出手段は、前記制御手段が前記二次電池を強制的に放電させている間の当該二次電池の電池電圧の時間変化をその時点での電圧特性とし、当該電圧特性の前記基準電圧特性に対する電圧低下幅を算出し、
前記調整手段は、前記電圧低下幅が前記予め定められた値以上である場合に前記電圧低下幅に応じた所定の容量を前記基準限界容量に加算した値を前記限界容量とする請求項４又は５に記載の無停電電源装置。
【請求項７】
外部電源から供給される電力を蓄える二次電池を備え、当該二次電池に蓄えられた電力を用いて電圧補償と負荷平準化とを行う無停電電源装置であって、
前記二次電池の電池電圧を測定する電圧測定手段と、
前記二次電池の放電を制御する制御手段と、
前記無停電電源装置の設置時において、前記二次電池が完全放電するまでの当該二次電池の電池電圧の時間変化を基準電圧特性として記憶する記憶手段と、
前記外部電源に瞬時電圧低下又は停電が発生した際に、前記電圧補償として前記制御手段が前記二次電池を放電させている間の当該二次電池の電池電圧の時間変化をその時点での電圧特性とし、当該電圧特性の前記基準電圧特性に対する電圧低下幅を算出する算出手段と、
前記無停電電源装置が予め定められた電圧補償時間の電圧補償を行う場合に最低限必要な前記二次電池の容量を限界容量とし、前記二次電池の残容量が前記限界容量であるときの当該二次電池の電池電圧を限界電圧とし、前記無停電電源装置設置時の前記限界電圧を基準限界電圧とし、前記無停電電源装置設置時の前記限界容量を基準限界容量とした場合、前記電圧低下幅が予め定められた値以上である場合に当該電圧低下幅に応じた所定の電圧値を前記基準限界電圧に加算した値を前記限界電圧とし、当該電圧低下幅に応じた所定の容量を前記基準限界容量に加算した値を前記限界容量とする調整手段と、
を更に備え、前記制御手段は、前記負荷平準化中の前記二次電池の電池電圧が前記限界電圧となった時点で当該二次電池の放電を停止させる無停電電源装置。
【請求項８】
前記制御手段は、予め定められたスケジュールで行われる定期点検時に前記二次電池を完全放電させ、当該定期点検時に前記二次電池を完全放電させている間の当該二次電池の電池電圧の時間変化を前記基準電圧特性として前記記憶手段に更新して記憶させ、
前記定期点検時の前記二次電池の完全放電の際に、当該二次電池の電池電圧が前記限界電圧に達してから電池電圧ゼロになるまでの時間を計測する計測手段を更に備え、
前記調整手段は、前記計測手段が計測した時間と前記電圧補償時間との時間差を求め、前記計測手段が計測した時間が前記電圧補償時間より短い場合、前記時間差に応じた所定の電圧値だけ前記限界電圧に加算すると共に前記時間差に応じた所定の容量だけ前記限界容量に加算し、前記計測手段が計測した時間が前記電圧補償時間より長い場合、前記時間差に応じた所定の電圧値だけ前記限界電圧から減算すると共に前記時間差に応じた所定の容量だけ前記限界容量から減算する請求項７に記載の無停電電源装置。
【請求項９】
前記調整手段が予め定められた期間以上前記限界電圧及び前記限界容量の調整を行っていない場合、前記制御手段は日中の予め定められた時間帯に前記二次電池の電池電圧が前記限界電圧より低い予め定められた電圧値になるまで強制的に放電させ、
前記算出手段は、前記制御手段が前記二次電池を強制的に放電させている間の当該二次電池の電池電圧の時間変化をその時点での電圧特性とし、当該電圧特性の前記基準電圧特性に対する電圧低下幅を算出し、
前記調整手段は、前記電圧低下幅が前記予め定められた値以上である場合に前記電圧低下幅に応じた所定の電圧値を前記基準限界電圧に加算した値を前記限界電圧とすると共に前記電圧低下幅に応じた所定の容量を前記基準限界容量に加算した値を前記限界容量とする請求項７又は８に記載の無停電電源装置。
【発明の詳細な説明】
【技術分野】
【０００１】
本発明は、無停電電源装置による瞬低補償と停電補償の技術に関する。
【背景技術】
【０００２】
無停電電源装置は、外部電源から供給される電力を蓄える二次電池を備え、例えば外部電源に瞬時電圧低下（瞬低）が生じた場合に二次電池に蓄えられた電力を用いて負荷への電力供給を補償する瞬低補償と、外部電源に停電が生じた場合に二次電池に蓄えられた電力を用いて負荷に無瞬断で電力を供給する停電補償とを行う。尚、瞬低補償と停電補償とを合わせて電圧補償と称する。
【０００３】
一般的な無停電電源装置において、貯蔵電力は電圧補償が必要となる場合に限り利用され、外部電源から負荷に対して正常に給電されている場合には利用されない。しかし、貯蔵電力を有効利用するために、電圧補償に必要な電力容量を二次電池に残した上で貯蔵電力を負荷に供給することで、貯蔵電力を外部電源から負荷への電力供給量を抑える負荷平準化に用いる技術が知られている。
【０００４】
このように、電圧補償と負荷平準化を行う無停電電源装置においては、電圧補償を予め設定された電圧補償時間の間確実に実施できるよう、二次電池の容量を確保する必要がある。つまり、二次電池の残容量管理が重要となってくる。
【０００５】
例えば、特許文献１には、高温作動型二次電池を備え、高温作動型二次電池の残容量が予め設定された停電補償容量に達したときを、高温作動型二次電池の放電終点とする高温作動型二次電池システムが開示されている。特許文献２には、二次電池の残容量を周囲温度に応じて変化させて管理する方法が記載されている。また特許文献３には、二次電池が放電する電力の放電電流値を所定間隔でサンプリングし、その電流値を積分することで二次電池の放電量を算出して、充電完了容量からその放電量を減じることで二次電池の残容量を求める方法が記載されている。
【先行技術文献】
【特許文献】
【０００６】
【特許文献１】特開２００４−２８９９８０号公報
【特許文献２】特開２０１１−０１５５８９号公報
【特許文献３】特開２０１１−１２０３３８号公報
【発明の概要】
【発明が解決しようとする課題】
【０００７】
二次電池は使用時間の経過と共に劣化し、容量が低下する。つまり、二次電池の劣化によって予め設定された電圧補償時間の電圧補償が実施できなくなる恐れがあり、これは装置の信頼性を失う大きな問題となっていた。従って、二次電池の残容量管理の際には、経年変化による容量低下を考慮する必要がある。
【０００８】
しかし、特許文献１及び３に記載されている方法は、二次電池の劣化による容量の変化を考慮していない。つまり、二次電池の経年変化に対応した正確な残容量を知ることはできない。また、特許文献２に記載されている方法は二次電池の劣化を考慮しているが、事前の推測や定期点検による方法となっており、二次電池の残容量管理の回数が少なく、求められる残容量の正確さに欠ける。
【０００９】
本発明は、上記の課題を解決するためになされたものであり、電圧補償及び負荷平準化を行う無停電電源装置において、電圧補償を予め設定された電圧補償時間確実に行えるようにすることを目的とする。
【課題を解決するための手段】
【００１０】
本発明における無停電電源装置は、外部電源から供給される電力を蓄える二次電池を備え、当該二次電池に蓄えられた電力を用いて電圧補償と負荷平準化とを行う無停電電源装置であって、前記二次電池の電池電圧を測定する電圧測定手段と、前記二次電池の放電を制御する制御手段と、前記無停電電源装置の設置時において、前記二次電池が完全放電するまでの当該二次電池の電池電圧の時間変化を基準電圧特性として記憶する記憶手段と、前記外部電源に瞬時電圧低下又は停電が発生した際に、前記電圧補償として前記制御手段が前記二次電池を放電させている間の当該二次電池の電池電圧の時間変化をその時点での電圧特性とし、当該電圧特性の前記基準電圧特性に対する電圧低下幅を算出する算出手段と、前記無停電電源装置が予め定められた電圧補償時間の電圧補償を行う場合に最低限必要な前記二次電池の容量を限界容量とし、前記二次電池の残容量が前記限界容量であるときの当該二次電池の電池電圧を限界電圧とし、前記無停電電源装置設置時の前記限界電圧を基準限界電圧とした場合、前記電圧低下幅が予め定められた値以上である場合に当該電圧低下幅に応じた所定の電圧値を前記基準限界電圧に加算した値を前記限界電圧とする調整手段と、を更に備え、前記制御手段は、前記負荷平準化中の前記二次電池の電池電圧が前記限界電圧となった時点で当該二次電池の放電を停止させるものである。
【００１１】
この構成によれば、外部電源に瞬低又は停電が発生した時に実施される二次電池の放電を利用して測定手段が二次電池の電池電圧を測定することで、電圧補償が予め定められた電圧補償時間に近い時間実施されるように調整手段が限界電圧の調整を行うことができる。つまり、二次電池の劣化によって電圧特性が変化し、電圧補償が予め定められた時間実施できない状態になっていたとしても、調整手段が限界電圧を調整することで、電圧補償が予め定められた電圧補償時間に近い時間実施可能な状態にすることができる。
【００１２】
また、上記構成において、前記制御手段は、予め定められたスケジュールで行われる定期点検時に前記二次電池を完全放電させ、当該定期点検時に前記二次電池を完全放電させている間の当該二次電池の電池電圧の時間変化を前記基準電圧特性として前記記憶手段に更新して記憶させ、前記定期点検時の前記二次電池の完全放電の際に、当該二次電池の電池電圧が前記限界電圧に達してから電池電圧ゼロになるまでの時間を計測する計測手段を更に備え、前記調整手段は、前記計測手段が計測した時間と前記電圧補償時間との時間差を求め、前記計測手段が計測した時間が前記電圧補償時間より短い場合、前記時間差に応じた所定の電圧値だけ前記限界電圧に加算し、前記計測手段が計測した時間が前記電圧補償時間より長い場合、前記時間差に応じた所定の電圧値だけ前記限界電圧から減算することが好ましい。
【００１３】
外部電源に瞬低又は停電が発生したときに取得した二次電池の電圧特性は、外部電源の復旧による電圧補償の終了時点で途切れてしまう。従って、瞬低又は停電時に取得した電圧特性から実際の電圧補償時間を知ることができない場合が多い。
【００１４】
そこで、定期点検時に行われる二次電池の完全放電を利用して二次電池の電圧特性を取得すると共に、計測手段が実際の電圧補償時間を測定する。そして調整手段が実際の電圧補償時間と予め定められた電圧補償時間を比較して限界電圧を調整することにより、電圧補償が予め定められた電圧補償時間確実に行われるようにすることができる。
【００１５】
また、上記構成において、前記調整手段が予め定められた期間以上前記限界電圧の調整を行っていない場合、前記制御手段は日中の予め定められた時間帯に前記二次電池の電池電圧が前記限界電圧より低い予め定められた電圧値になるまで強制的に放電させ、前記算出手段は、前記制御手段が前記二次電池を強制的に放電させている間の当該二次電池の電池電圧の時間変化をその時点での電圧特性とし、当該電圧特性の前記基準電圧特性に対する電圧低下幅を算出し、前記調整手段は、前記電圧低下幅が前記予め定められた値以上である場合に前記電圧低下幅に応じた所定の電圧値を前記基準限界電圧に加算した値を前記限界電圧とすることが好ましい。
【００１６】
外部電源の瞬低又は停電が長期間発生しない場合がある。この場合、二次電池が劣化して電圧特性が変化しても限界電圧の調整が行われないままとなってしまい、予め定められた電圧補償時間を確保できない。従って、調整手段が予め定められた期間以上限界電圧の調整を行っていない場合、制御手段が二次電池を強制的に放電させて電圧特性を取得し、調整手段が限界電圧の調整を行うことで、時間的間隔を開けることなく限界電圧の調整を行うことができる。
【００１７】
本発明における無停電電源装置は、外部電源から供給される電力を蓄える二次電池を備え、当該二次電池に蓄えられた電力を用いて電圧補償と負荷平準化とを行う無停電電源装置であって、前記二次電池の電池電圧を測定する電圧測定手段と、前記二次電池の放電を制御する制御手段と、前記無停電電源装置の設置時において、前記二次電池が完全放電するまでの当該二次電池の電池電圧の時間変化を基準電圧特性として記憶する記憶手段と、前記外部電源に瞬時電圧低下又は停電が発生した際に、前記電圧補償として前記制御手段が前記二次電池を放電させている間の当該二次電池の電池電圧の時間変化をその時点での電圧特性とし、当該電圧特性の前記基準電圧特性に対する電圧低下幅を算出する算出手段と、前記無停電電源装置が予め定められた電圧補償時間の電圧補償を行う場合に最低限必要な前記二次電池の容量を限界容量とし、前記無停電電源装置設置時の前記限界容量を基準限界容量とした場合、前記電圧低下幅が予め定められた値以上である場合に当該電圧低下幅に応じた所定の容量を前記基準限界容量に加算した値を前記限界容量とする調整手段と、を更に備え、前記制御手段は、前記負荷平準化中の前記二次電池の電池容量が前記限界容量となった時点で当該二次電池の放電を停止させるものである。
【００１８】
この構成によれば、外部電源に瞬低又は停電が発生した時に実施される二次電池の放電を利用して測定手段が二次電池の電池電圧を測定することで、電圧補償が予め定められた電圧補償時間に近い時間実施されるように調整手段が限界容量の調整を行うことができる。つまり、二次電池の劣化によって電圧特性が変化し、電圧補償が予め定められた時間実施できない状態になっていたとしても、調整手段が限界容量を調整することで、電圧補償が予め定められた電圧補償時間に近い時間実施可能な状態にすることができる。
【００１９】
また、上記構成において、前記制御手段は、予め定められたスケジュールで行われる定期点検時に前記二次電池を完全放電させ、当該定期点検時に前記二次電池を完全放電させている間の当該二次電池の電池電圧の時間変化を前記基準電圧特性として前記記憶手段に更新して記憶させ、前記定期点検時の前記二次電池の完全放電の際に、当該二次電池の電池電圧が前記限界電圧に達してから電池電圧ゼロになるまでの時間を計測する計測手段を更に備え、前記調整手段は、前記計測手段が計測した時間と前記電圧補償時間との時間差を求め、前記計測手段が計測した時間が前記電圧補償時間より短い場合、前記時間差に応じた所定の容量だけ前記限界容量に加算し、前記計測手段が計測した時間が前記電圧補償時間より長い場合、前記時間差に応じた所定の容量だけ前記限界容量から減算することが好ましい。
【００２０】
この構成によれば、定期点検時に行われる二次電池の完全放電を利用して二次電池の電圧特性を取得すると共に、計測手段が実際の電圧補償時間を測定する。そして調整手段が実際の電圧補償時間と予め定められた電圧補償時間を比較して限界容量を調整することにより、電圧補償が予め定められた電圧補償時間確実に行われるようにすることができる。
【００２１】
また、上記構成において、前記調整手段が予め定められた期間以上前記限界容量の調整を行っていない場合、前記制御手段は日中の予め定められた時間帯に前記二次電池の電池電圧が前記限界電圧より低い予め定められた電圧値になるまで強制的に放電させ、前記算出手段は、前記制御手段が前記二次電池を強制的に放電させている間の当該二次電池の電池電圧の時間変化をその時点での電圧特性とし、当該電圧特性の前記基準電圧特性に対する電圧低下幅を算出し、前記調整手段は、前記電圧低下幅が前記予め定められた値以上である場合に前記電圧低下幅に応じた所定の容量を前記基準限界容量に加算した値を前記限界容量とするが好ましい。
【００２２】
外部電源の瞬低又は停電が長期間発生しない場合がある。この場合、二次電池が劣化して電圧特性が変化しても限界容量の調整が行われないままとなってしまい、予め定められた電圧補償時間を確保できない。従って、調整手段が予め定められた期間以上限界容量の調整を行っていない場合、制御手段が二次電池を強制的に放電させて電圧特性を取得し、調整手段が限界容量の調整を行うことで、時間的間隔を開けることなく限界容量の調整を行うことができる。
【００２３】
また、本発明における無停電電源装置は、外部電源から供給される電力を蓄える二次電池を備え、当該二次電池に蓄えられた電力を用いて電圧補償と負荷平準化とを行う無停電電源装置であって、前記二次電池の電池電圧を測定する電圧測定手段と、前記二次電池の放電を制御する制御手段と、前記無停電電源装置の設置時において、前記二次電池が完全放電するまでの当該二次電池の電池電圧の時間変化を基準電圧特性として記憶する記憶手段と、前記外部電源に瞬時電圧低下又は停電が発生した際に、前記電圧補償として前記制御手段が前記二次電池を放電させている間の当該二次電池の電池電圧の時間変化をその時点での電圧特性とし、当該電圧特性の前記基準電圧特性に対する電圧低下幅を算出する算出手段と、前記無停電電源装置が予め定められた電圧補償時間の電圧補償を行う場合に最低限必要な前記二次電池の容量を限界容量とし、前記二次電池の残容量が前記限界容量であるときの当該二次電池の電池電圧を限界電圧とし、前記無停電電源装置設置時の前記限界電圧を基準限界電圧とし、前記無停電電源装置設置時の前記限界容量を基準限界容量とした場合、前記電圧低下幅が予め定められた値以上である場合に当該電圧低下幅に応じた所定の電圧値を前記基準限界電圧に加算した値を前記限界電圧とし、当該電圧低下幅に応じた所定の容量を前記基準限界容量に加算した値を前記限界容量とする調整手段と、を更に備え、前記制御手段は、前記負荷平準化中の前記二次電池の電池電圧が前記限界電圧となった時点で当該二次電池の放電を停止させるものである。
【００２４】
この構成によれば、外部電源に瞬低又は停電が発生した時に実施される二次電池の放電を利用して測定手段が二次電池の電池電圧を測定することで、電圧補償が予め定められた電圧補償時間に近い時間実施されるように調整手段が限界電圧及び限界容量の調整を行うことができる。つまり、二次電池の劣化によって電圧特性が変化し、電圧補償が予め定められた時間実施できない状態になっていたとしても、調整手段が限界電圧及び限界容量を調整することで、電圧補償が予め定められた電圧補償時間に近い時間実施可能な状態にすることができる。
【００２５】
また、上記構成において、前記制御手段は、予め定められたスケジュールで行われる定期点検時に前記二次電池を完全放電させ、当該定期点検時に前記二次電池を完全放電させている間の当該二次電池の電池電圧の時間変化を前記基準電圧特性として前記記憶手段に更新して記憶させ、前記定期点検時の前記二次電池の完全放電の際に、当該二次電池の電池電圧が前記限界電圧に達してから電池電圧ゼロになるまでの時間を計測する計測手段を更に備え、前記調整手段は、前記計測手段が計測した時間と前記電圧補償時間との時間差を求め、前記計測手段が計測した時間が前記電圧補償時間より短い場合、前記時間差に応じた所定の電圧値だけ前記限界電圧に加算すると共に前記時間差に応じた所定の容量だけ前記限界容量に加算し、前記計測手段が計測した時間が前記電圧補償時間より長い場合、前記時間差に応じた所定の電圧値だけ前記限界電圧から減算すると共に前記時間差に応じた所定の容量だけ前記限界容量から減算することが好ましい。
【００２６】
この構成によれば、定期点検時に行われる二次電池の完全放電を利用して二次電池の電圧特性を取得すると共に、計測手段が実際の電圧補償時間を測定する。そして調整手段が実際の電圧補償時間と予め定められた電圧補償時間を比較して限界電圧及び限界容量を調整することにより、電圧補償が予め定められた電圧補償時間確実に行われるようにすることができる。
【００２７】
また、上記構成において、前記調整手段が予め定められた期間以上前記限界電圧及び前記限界容量の調整を行っていない場合、前記制御手段は日中の予め定められた時間帯に前記二次電池の電池電圧が前記限界電圧より低い予め定められた電圧値になるまで強制的に放電させ、前記算出手段は、前記制御手段が前記二次電池を強制的に放電させている間の当該二次電池の電池電圧の時間変化をその時点での電圧特性とし、当該電圧特性の前記基準電圧特性に対する電圧低下幅を算出し、前記調整手段は、前記電圧低下幅が前記予め定められた値以上である場合に前記電圧低下幅に応じた所定の電圧値を前記基準限界電圧に加算した値を前記限界電圧とすると共に前記電圧低下幅に応じた所定の容量を前記基準限界容量に加算した値を前記限界容量とすることが好ましい。
【００２８】
この構成によれば、調整手段が予め定められた期間以上限界電圧及び限界容量の調整を行っていない場合、制御手段が二次電池を強制的に放電させて電圧特性を取得し、調整手段が限界電圧及び限界容量の調整を行うことで、時間的間隔を開けることなく限界電圧及び限界容量の調整を行うことができる。
【発明の効果】
【００２９】
本発明によれば、二次電池の劣化によって、実際の電圧補償時間が変化しても、調整手段が限界電圧及び限界容量を調整することで電圧補償を予め定められた時間を行わせることができる。従って、無停電電圧装置の信頼性の向上を図ることができる。
【図面の簡単な説明】
【００３０】
【図１】無停電電源装置の概略を示す機能ブロック図。
【図２】二次電池の電圧特性を示した図。
【図３】二次電池の電圧特性を示した図。
【図４】二次電池の電圧特性を示した図。
【図５】二次電池の電圧特性を示した図。
【図６】無停電電源装置の電圧補償及び負荷平準化を説明するためのフローチャート。
【図７】電圧補償処理の流れを説明するためのフローチャート。
【図８】強制放電処理の流れを説明するためのフローチャート。
【図９】定期点検時に行われる定期点検処理の流れを示したフローチャート。
【発明を実施するための形態】
【００３１】
以下、図面に基づいて本発明の実施形態につき詳細に説明する。図１は、本発明の一実施形態に係る無停電電源装置１の概略を示すブロック図である。無停電電源装置１は外部電源２に接続され、無停電電源装置１及び外部電源２に負荷３が接続されている。
【００３２】
無停電電源装置１は、制御部１００、電圧計１３０（電圧測定手段）、インバータ１５０、連系リアクトル１６０、スイッチ１７０及び二次電池２００を備える。
【００３３】
無停電電源装置１は、例えば商用電源である外部電源２から電力の供給を受けて、リチウムイオン電池やニッケル水素電池等の二次電池２００に電力を貯蔵し、この貯蔵電力を用いて負荷平準化及び電圧補償を行う。尚、電圧補償とは、外部電源２に瞬低が生じた場合に二次電池２００に貯蔵された貯蔵電力を用いて負荷３に対して電力を補償する瞬低補償と、停電が生じた場合に二次電池２００に貯蔵された貯蔵電力を用いて負荷３に対して無瞬断で電力を供給する停電補償と、を合わせて称するものである。
【００３４】
スイッチ１７０は、無停電電源装置１と外部電源２との接続を切断可能にするスイッチである。無停電電源装置１の待機時及び負荷平準化時には、制御部１００はスイッチ１７０をＯＮとし、外部電源２から負荷３への電力供給を可能とする。無停電電源装置１の待機時には、外部電源２のみから負荷３に電力が供給され、負荷平準化動作時には、外部電源２からの電力供給に加えて、二次電池２００に貯蔵された電力も負荷３に供給される。
【００３５】
電圧補償時には、商用電力系統である外部電源２側への逆潮流を防止するために、制御部１００はスイッチ１７０をＯＦＦとし、二次電池２００に貯蔵された電力を負荷３に供給する。尚、制御部１００については後に詳しく説明する。また本実施形態においては、無停電電源装置１は、負荷３の消費電力が増大する時間帯に負荷平準化を行う。
【００３６】
電圧計１３０は、二次電池２００の電池電圧を測定する。インバータ１５０は、二次電池２００の充電時には、外部電源２から供給される交流電力を直流電力に変換して二次電池２００に供給する整流器として機能し、二次電池２００の放電時には、二次電池２００から放電される直流電力を、負荷３に応じた電圧値又は電流値もしくは電力値の交流電力に変換して負荷３に供給する。またインバータ１５０は、外部電源２から供給される電力を用いて、例えば定電圧・定電流充電方式で二次電池２００を充電する。
【００３７】
連系リアクトル１６０は、インバータ１５０と外部電源２との間に設けられている。負荷平準化動作時、インバータ１５０は、インバータ１５０側の交流電力Ｖ２の位相を外部電源２側の交流電力Ｖ１の位相よりも進ませることで、二次電池２００に貯蔵されている電力を負荷３に供給する。二次電池２００の充電時にインバータ１５０は、Ｖ２の位相をＶ１の位相よりも遅らせることで、外部電源２の電力を二次電池２００に供給する。尚、インバータ１５０が、Ｖ２の位相とＶ１の位相とを等しくした場合は、二次電池２００は充電も放電もされない待機状態となる。
【００３８】
制御部１００は、ＣＰＵ（Central Processing Unit：中央処理装置）等によって構成され、予め記憶されたプログラムに従って処理を実行し、各機能部への指示信号の出力、データ転送等を行って無停電電源装置１を統括的に制御するものであり、放電制御部１０１（制御手段）、記憶部１０２（記憶手段）、電圧低下幅算出部１０３（算出手段）、限界電圧設定部１０５（調整手段）及び計時部１０６（計測手段）を備える。
【００３９】
放電制御部１０１は、二次電池２００の放電時、即ち、電圧補償時又は負荷平準化時に、負荷３に供給される電力が予め設定された交流電力となるようにインバータ１５０を制御することによって二次電池２００に放電を行わせる。
【００４０】
記憶部１０２は、無停電電源装置１設置時の二次電池２００の電圧特性である基準電圧特性を記憶する。無停電電源装置１の設置時には装置の法定点検が義務づけられている。法定点検では、二次電池２００を完全放電させて無停電電源装置１の稼働に異常がないか確認する作業が行われる。この二次電池２００の放電中に電圧計１３０が二次電池２００の電池電圧を測定し、制御部１００が測定結果を取り込んで、電池電圧の時間変化を基準電圧特性として記憶部１０２に記憶させる。
【００４１】
また、記憶部１０２は、基準限界電圧ＶＲ及び限界電圧ＶＬを記憶する。無停電電源装置１が予め定められた電圧補償時間の電圧補償を行う場合に最低限必要な二次電池２００の容量を限界容量とすると、二次電池２００の残容量がこの限界容量であるときの二次電池２００の電池電圧を限界電圧ＶＬとする。
【００４２】
例えば、予め定められた電圧補償時間が２０分であり、負荷３への電力供給を２０分間行うために必要な二次電池２００の容量をＣＬとすると、限界容量はＣＬとなり、負荷平準化は二次電池２００の容量が限界容量ＣＬより大きい間は実施可能となる。もし二次電池２００の容量が限界容量ＣＬより下回ったときに外部電源２の瞬低又は停電が発生して電圧補償が実行されると、２０分経たないうちに二次電池２００が完全放電してしまい、その時点で電圧補償が終了してしまう。従って、放電制御部１０１は、負荷平準化中に二次電池２００の残容量が限界容量ＣＬになった時点で二次電池２００の放電を停止して、負荷平準化を終了させる。
【００４３】
電圧低下幅算出部１０３は、電圧補償として放電制御部１０１が二次電池２００を放電させている間に電圧計１３０が測定した二次電池２００の電池電圧の時間変化をその時点での電圧特性（以下「現在の電圧特性」という）として取り込み、記憶部１０２が記憶する基準電圧特性に対する現在の電圧特性の電圧低下幅を算出する。
【００４４】
限界電圧設定部１０４は、電圧低下幅算出部１０３が算出した電圧低下幅が予め定められた値以上である場合、この電圧低下幅に応じた所定の電圧値を基準限界電圧ＶＲに加算し、この値を限界電圧ＶＬとする。尚、無停電電源装置１の設置時の限界電圧ＶＬの値は基準限界電圧ＶＲとする。
【００４５】
計時部１０５は、一定周期でクロック信号を発生させるクロック発信器を備え、予め定められたスケジュールで行われる定期点検時（少なくとも年１回実施）に放電制御部１０１が二次電池２００を完全放電させている時、電池電圧が限界電圧ＶＬに達してから電池電圧ゼロになるまでの時間、即ち、二次電池２００の残容量が限界容量ＣＬに達してから完全放電するまでの時間を計測する。
【００４６】
図２〜図５は、二次電池２００の電圧特性を示した図である。図２〜図５において、縦軸は二次電池２００の電池電圧、横軸は時間を示している。また、図２の実線のグラフは、無停電電源装置１の設置時の法定点検の際に取得した二次電池２００の基準電圧特性を示している。
【００４７】
ここで図２を用いて放電制御部１０１が行う二次電池２００の放電制御について説明する。放電制御部１０１は、例えば予め定められた負荷平準化の実施時間帯に二次電池２００を放電させる。そして、放電制御部１０１は、負荷平準化の終了時刻前でも、二次電池２００の電池電圧が限界電圧ＶＬとなった時点で二次電池２００の放電を停止させる。
【００４８】
そして、外部電源２に瞬低又は停電が発生すると、電圧補償を行うために制御部１００はスイッチ１７０をＯＦＦにし、放電制御部１０１は二次電池２００を放電させて負荷３へ電力を供給する。電圧計１３０は、この電圧補償時の二次電池２００の電池電圧を測定し、制御部１００は測定結果を取り込んで、二次電池２００のその時点での電圧特性（現在の電圧特性）として記憶部１０２に記憶させる。図２において一点鎖線で示したグラフは、二次電池２００の現在の電圧特性を示している。
【００４９】
外部電源２の給電が復旧すると、制御部１００はスイッチ１７０をＯＮにする。これにより、負荷３への電力供給源は二次電池２００から外部電源２に移行するため、電圧補償期間は終わる。二次電池２００が完全放電する前に電圧補償が終わった場合、図２に示すように、二次電池２００の電圧特性は電池電圧がゼロになる手前で途切れた状態となる。
【００５０】
ここで、二次電池２００は使用時間の経過と共に劣化し、容量は低下する。つまり、二次電池２００の経年変化によって予め設定された電圧補償時間の電圧補償が実施できなくなる恐れがあり、これは無停電電源装置１の信頼性を失う大きな問題となる。
【００５１】
例えば、負荷平準化の実施中に二次電池２００の電池電圧が限界電圧ＶＬとなって制御部１００が負荷平準化を終了し、二次電池２００の充電が行われないまま外部電源２の瞬低又は停電が生じて電圧補償が開始された場合、二次電池２００が一点鎖線に示す電圧特性のときは２０−ｘ分で完全放電してしまうことになる。つまり、無停電電源装置１が本来行わなければならない電圧補償時間は２０分であるにも関わらず、実際の補償時間は２０−ｘ分であり、ユーザーの予想よりｘ分早く負荷３への電力供給が停止してしまう。ここで、ｘ分とは電圧低下幅ΔＶに応じた時間となる。
【００５２】
そこで、電圧低下幅算出部１０３が基準電圧特性に対する現在の電圧特性の電圧低下幅ΔＶを算出し、電圧低下幅ΔＶが予め定められた値以上である場合、限界電圧設定部１０４が電圧低下幅ΔＶに応じた所定の値だけ限界電圧ＶＬを上げる調整を行う。限界電圧ＶＬの値が上がることで、負荷平準化の終了時点における二次電池２００の残容量が増え、電圧補償を予め設定された電圧補償時間に近い時間行わせることができる。
【００５３】
この電圧補償時に取得した現在の電圧特性を用いての限界電圧ＶＬの調整について、図３を用いて更に詳しく説明する。外部電源２に瞬低又は停電が発生した際の二次電池２００の放電を利用して、制御部１００は二次電池２００の現在の電圧特性を取得する（図３の一点鎖線のグラフ）。そして電圧低下幅算出部１０３は、例えば、基準電圧特性及び現在の電圧特性における電圧補償を開始してから所定時間（時間ｔ）経過したときの電圧値をそれぞれ求め、各電圧値の差分である電圧低下幅ΔＶを求める。
【００５４】
そして、限界電圧設定部１０４は、電圧低下幅ΔＶが予め定められた値より小さい場合、現在の現在特性は基準電圧特性とほぼ変化していないとして、限界電圧ＶＬはそのままとする。電圧低下幅ΔＶが予め定められた値以上である場合、限界電圧設定部１０４は基準限界電圧ＶＲに電圧低下幅ΔＶに応じた所定の値を加算し、その値を限界電圧ＶＬとして新しく設定する。図３では、電圧低下幅ΔＶが予め定められた値以上であるため、限界電圧ＶＬを基準限界電圧ＶＲにΔｄだけ加算した値に変更した場合について示している。限界電圧ＶＬが上がることによって、その分負荷平準化の終了時点における二次電池２００の残容量が増える。従って、電池電圧が限界電圧ＶＬであるときに電圧補償が開始してから二次電池２００が完全放電するまでの時間をΔｄに応じた時間（例えば３分）増やすことができる。つまり、図２にて示した実際の電圧補償時間１７分に３分追加されて電圧補償を２０分間行うことが可能となる。
【００５５】
ここで、基準限界電圧ＶＲに加算する値Δｄは、例えば、記憶部１０２が電圧低下幅ΔＶに対するΔｄを示すデータテーブル、又は計算式等を予め記憶しており、限界電圧設定部１０４はこのデータテーブルや計算式等を用いて、Δｄを決定する。
【００５６】
しかし、電圧補償時の二次電池２００の放電を利用して取得した電圧特性は、外部電源２の復旧等によって電圧補償が終了した時点で途切れてしまう。つまり、実際に電圧補償が開始してから二次電池２００が完全放電するまでの時間（実際の電圧補償時間）は分からない。従って、電圧低下幅ΔＶを利用して限界電圧ＶＬを調整することで電圧補償時間を確保しても、予め定められた時間の電圧補償が行えるかは実際のところ分からない。
【００５７】
逆に、電圧低下幅ΔＶを利用して限界電圧ＶＬを調整したことで、予め定められた電圧補償時間より長い時間、電圧補償が実施可能となっている場合もある。この場合、限界電圧ＶＬが無駄に高く設定されていることになってしまう。
【００５８】
そこで、予め定められたスケジュールで実行される無停電電源装置１の定期点検の際に放電制御部１０１は二次電池２００を完全放電させ、計時部１０５は二次電池２００の電池電圧が限界電圧ＶＬに達してから完全放電するまでの時間を計測する。この計測された時間が実際の電圧補償時間であり、限界電圧設定部１０４が実際の電圧補償時間と予め定められた電圧補償時間との比較を行うことで、限界電圧ＶＬの調整を行う。
【００５９】
この定期点検時の限界電圧ＶＬの調整について図４及び図５を用いて説明する。図４及び図５において示したグラフは、定期点検時に取得した二次電池２００の電圧特性である。まず、図４を用いて説明する。定期点検時、放電制御部１０１は無停電電源装置１の設置時に行われた法定点検と同じように、二次電池２００の完全放電を行わせる。そして、二次電池２００の放電中に電圧計１３０が二次電池２００の電池電圧を測定し、測定結果を電圧特性として制御部１００が取り込む。
【００６０】
同時に、計時部１０５は、二次電池２００の電池電圧が限界電圧ＶＬに達してから完全放電するまでの時間（実際の電圧補償時間）を計測する。実際の電圧補償時間が例えば１８分である場合、予め定められた電圧補償時間２０分より２分短いことになる。従って、限界電圧設定部１０４は、限界電圧ＶＬを上げて電圧補償時間を２０分にする。具体的には、限界電圧設定部１０４が、定期点検時に測定された電圧特性において完全放電の時間から２０分遡ったときの二次電池２００の電池電圧を抽出し、その電圧を限界電圧ＶＬとする。
【００６１】
そして、制御部１００は定期点検時に取得した電圧特性を新しい基準電圧特性とし、記憶部１０２が既に記憶する基準電圧特性を更新して記憶させる。更に、制御部１００は、限界電圧設定部１０４が調整した限界電圧ＶＬを基準限界電圧ＶＲとし、記憶部１０２が既に記憶する基準限界電圧ＶＲを更新して記憶させる。
【００６２】
次に図５を用いて説明する。計時部１０５が実際の電圧補償時間を計測した結果、例えば２２分である場合、予め定められた電圧補償時間２０分より２分長いことになる。従って、限界電圧設定部１０４は、限界電圧ＶＬを下げて電圧補償時間を２０分にする。このように、定期点検時に放電制御部１０１が二次電池２００を完全放電させ、計時部１０５が実際の電圧補償時間を測定し、限界電圧設定部１０４が実際の電圧補償時間と予め定められた電圧補償時間とを比較して限界電圧ＶＬを調整することで電圧補償時間を予め定められた時間に確実に合わせることができる。
【００６３】
図６は、無停電電源装置１の電圧補償及び負荷平準化を説明するためのフローチャートである。無停電電源装置１が起動されると、制御部１００は、外部電源２から正常に電力が供給されているか否かをモニタリングする（ステップＳ１１）。瞬低又は停電が発生した場合（ステップＳ１１；ＹＥＳ）、制御部１００は電圧補償ルーチンへ処理を移行する（ステップＳ２１）。
【００６４】
図７は、電圧補償処理の流れを説明するためのフローチャートである。放電制御部１０１は、二次電池２００の放電を開始させることで電圧補償を開始する（ステップＳ３１）。外部電源２からの給電が正常に復帰するまで（ステップＳ３２；ＮＯ）、放電制御部１０１は二次電池２００の放電を継続させる。二次電池２００の放電中、電圧計１３０は逐次二次電池２００の電池電圧を測定する。そして、制御部１００は測定結果を取り込んで、二次電池２００の現在の電圧特性とする（ステップＳ３３）。
【００６５】
外部電源２からの給電が正常に復帰すると（ステップ３２；ＹＥＳ）、放電制御部１０１は二次電池２００の放電を停止させて、電圧補償を終了する（ステップＳ３４）。そして、電圧低下幅算出部１０３は、基準電圧特性に対する現在の電圧特性の電圧低下幅ΔＶを算出する（ステップＳ３５）。電圧低下幅ΔＶが予め定められた閾値Ａ以上である場合（ステップＳ３６；ＹＥＳ）、限界電圧設定部１０４は電圧低下幅ΔＶに応じた所定の値だけ限界電圧ＶＬを上げる調整を行い（ステップＳ３７）、制御部１００は電圧補償処理を終了してステップＳ１２へ処理を移行する。電圧低下幅ΔＶが閾値Ａより小さい場合（ステップＳ３６；ＮＯ）、制御部１００は電圧補償処理を終了してステップＳ１２へ処理を移行する。
【００６６】
図６に戻る。外部電源２から正常に電力が供給されている場合（ステップＳ１１；ＮＯ）、制御部１００はその時点が予め定められた負荷平準化時間帯であるか否かを判定する（ステップＳ１２）。負荷平準化開始時刻となった場合は（ステップＳ１２；ＹＥＳ）、放電制御部１０１は二次電池２００の放電を開始させて、負荷平準化を行う（ステップＳ１３）。負荷平準化は、二次電池２００の電池電圧が限界電圧ＶＬとなった時点で終了する。尚、負荷平準化の終了は二次電池２００の残容量をもって判断するようにしてもよい。負荷平準化開始時刻でない場合は（ステップＳ１２；ＮＯ）、制御部１００はステップＳ１１へ処理を移行する。
【００６７】
負荷平準化終了後、制御部１００は、所定期間の間に限界電圧設定部１０４による限界電圧ＶＬの調整が行われているか否かを判断する（ステップＳ１４）。例えば、無停電電源装置１の定期点検が１年に１回行われるとすると、この１年の間に少なくとも１回は外部電源２の瞬低又は停電によって電圧補償が行われて（つまり、図７に示す電圧補償処理が実行され）、限界電圧ＶＬが調整されて電圧補償時間が補正されることが望ましい。しかし、実際には、外部電源２の瞬低又は停電が発生しない可能性もあり、この場合は１年間、限界電圧ＶＬの調整が行われないことになる。つまり、二次電池２００の劣化によって実際の電圧補償時間が短くなっていたとしても、電圧補償時間の補正が行われないままとなってしまう。
【００６８】
そこで、所定期間（例えば６ヶ月）の間に限界電圧設定部１０４による限界電圧ＶＬの調整が行われなかった場合（ステップＳ１４；ＹＥＳ）、制御部１００は、その時点が二次電池２００の強制放電が可能な時間帯であるときに（ステップＳ１５；ＹＥＳ）、強制放電ルーチンへ処理を移行する（ステップＳ１６）。強制放電ルーチンでは、放電制御部１０１が二次電池２００を強制放電させることで、現在の二次電池２００の電圧特性を取得し、限界電圧ＶＬの値を調整して電圧補償時間を補正するための処理を行う。二次電池２００の強制放電が可能な時間帯とは、負荷３の電力消費が少ない時間帯であり、例えば夜間や休日等が挙げられる。記憶部１０２は、負荷３の使用状況に合わせて予め設定される二次電池２００の強制放電可能な時間帯を記憶する。
【００６９】
図８は、強制放電処理の流れを説明するためのフローチャートである。まず、放電制御部１０１は二次電池２００の放電を開始し（ステップＳ４１）、二次電池２００の放電中、電圧計１３０は逐次二次電池２００の電池電圧を測定し、制御部１００は測定結果を取り込んで、二次電池２００の現在の電圧特性とする（ステップＳ４２）。二次電池２００の電池電圧が予め設定された閾値Ｂ以上である間（ステップＳ４３；ＹＥＳ）、放電制御部１０１は二次電池２００の放電を継続させると共に、電圧計１３０は二次電池２００の電池電圧の測定を継続する。二次電池２００の電池電圧が閾値Ｂより低くなると（ステップＳ４３；ＮＯ）、放電制御部１０１は二次電池２００の放電を停止させる（ステップＳ４４）。
【００７０】
そして、電圧低下幅算出部１０３は、基準電圧特性に対する現在の電圧特性の電圧低下幅ΔＶを算出する（ステップＳ４５）。電圧低下幅ΔＶが閾値Ａ以上である場合（ステップＳ４６；ＹＥＳ）、限界電圧設定部１０４は電圧低下幅ΔＶに応じた所定の値だけ限界電圧ＶＬを上げる調整を行い（ステップＳ４７）、制御部１００は強制放電処理を終了してステップＳ１７へ処理を移行する。電圧低下幅ΔＶが閾値Ａより小さい場合（ステップＳ４６；ＮＯ）、制御部１００は電圧補償処理を終了してステップＳ１７へ処理を移行する。
【００７１】
図６に戻る。現在の時刻が予め定められた二次電池２００の充電開始時刻である場合（ステップＳ１７；ＹＥＳ）、放電制御部１０１は二次電池２００の充電を開始させる（ステップＳ１８）。二次電池２００の充電完了後、制御部１００はステップＳ１１へ処理を移行する。
【００７２】
尚、限界電圧設定部１０４が限界電圧ＶＬの調整を行った場合、調整分に従って、ステップＳ１８で行われる二次電池２００の充電量も調整される。二次電池２００は満充電されることはほとんどなく、負荷平準化開始時における二次電池２００の充電量は満充電量より所定容量低い充電量となるよう予め設定されている。限界電圧設定部１０４が限界電圧をΔｄ上げた場合、ステップＳ１８で行われる二次電池２００の充電の際も、電池電圧Δｄに応じた所定の容量だけ多く充電される。このように限界電圧ＶＬの調整分に従って、負荷平準化開始時の二次電池２００の充電量も調整することで、負荷平準化に使用可能な電力量を変えることなく、予め定められた電圧補償時間を確保することができる。
【００７３】
また、無停電電源装置１の定期点検の際には、二次電池２００の新しい電圧特性を取得するための処理が実行される。図９は、定期点検時に行われる定期点検処理の流れを示したフローチャートである。
【００７４】
まず、放電制御部１０１は二次電池２００の放電を開始する（ステップＳ５１）。二次電池２００の放電中、電圧計１３０は逐次二次電池２００の電池電圧を測定し、制御部１００は電圧計１３０が測定した電池電圧と限界電圧ＶＬとを比較する（ステップＳ５３）。電池電圧が限界電圧ＶＬであるとき（ステップＳ５３；ＹＥＳ）、計時部１０５は時間計測を開始する（ステップＳ５４）。電池電圧が限界電圧ＶＬでないとき（ステップＳ５３；ＮＯ）、制御部１００はステップＳ５１へ処理を移行する。
【００７５】
計時部１０５は、二次電池２００が完全放電するまで（即ち、電池電圧がゼロになるまで）継続して時間計測する。二次電池２００が完全放電すると（ステップＳ５５；ＹＥＳ）、計時部１０５は時間計測を終了する（ステップＳ５６）。そして、限界電圧設定部１０４は、計時部１０５が計測した実際の電圧補償時間が予め定められた電圧補償時間と異なる場合は、限界電圧ＶＬを調整することで電圧補償が予め定められた電圧補償時間実施されるようにする。
【００７６】
そして、制御部１００は定期点検時に取得した電圧特性を新しい基準電圧特性とし、記憶部１０２が既に記憶する基準電圧特性を更新して記憶させる。更に、制御部１００は、限界電圧設定部１０４が調整した限界電圧ＶＬを基準限界電圧ＶＲとし、記憶部１０２が既に記憶する基準限界電圧ＶＲを更新して記憶させて（ステップＳ５８）、定期点検処理を終了する。尚、実際の定期点検時には、上記した限界電圧ＶＬの調整の他に、様々な点検作業が行われることは言うまでもない。
【００７７】
以上、説明したように、外部電源２に瞬低又は停電が発生した時に、電圧計１３０が二次電池２００の電池電圧を測定し、限界電圧設定部１０４が基準電圧特性に対する現在の電圧特性の電圧低下幅ΔＶに応じた所定の値だけ限界電圧ＶＬを上げることによって、二次電池２００の劣化によって実際の電圧補償時間が短くなっていても、予め定められた電圧補償時間に近い時間に修正することができる。
【００７８】
更に、定期点検時に放電制御部１０１が二次電池２００を完全放電させる際、計時部１０５が二次電池２００の電池電圧が限界電圧ＶＬから完全放電するまでの時間（実際の電圧補償時間）を測定し、予め定められた電圧補償時間と異なる場合は、限界電圧設定部１０４が限界電圧ＶＬを調整することによって、電圧補償が予め定められた時間確実に実施されるようにすることができる。これにより、無停電電源装置の信頼性の向上を図ることができる。
【００７９】
尚、本実施の形態では、限界電圧設定部１０４が限界電圧ＶＬを調整することで予め定められた電圧補償時間を確保することとしたが、限界電圧以外に、限界電圧設定部１０４に代わる構成要素が限界容量を調整することで電圧補償時間の確保を図ることとしてもよい。更に、限界電圧設定部１０４が、限界電圧及び限界容量の両方を調整することとしてもよい。
【符号の説明】
【００８０】
１      無停電電源装置
２      外部電源
３      負荷
１００  制御部
１０１  放電制御部
１０２  記憶部
１０３  電圧低下算出部
１０４  限界電圧設定部
１０５  計時部
１３０  電圧計
２００  二次電池
【図１】
2013179813.tif 000003
【図２】
2013179813.tif 000004
【図３】
2013179813.tif 000005
【図４】
2013179813.tif 000006
【図５】
2013179813.tif 000007
【図６】
2013179813.tif 000008
【図７】
2013179813.tif 000009
【図８】
2013179813.tif 000010
【図９】
2013179813.tif 000011